(57)【要約】【課題】本発明は、先端工具の長手方向への移動を先端工具保持部内の突起により規制可能なため、ストッパ壁を設ける必要がなくなり種々の先端工具を収容可能な先端工具保持部を有する電動工具を提供することである。【解決手段】駆動源であるモータと、モータを収容するハウジング１と、ハウジング１に設けた先端工具保持部３と、先端工具保持部３内に収容される先端工具２とを備えた電動工具において、先端工具保持部３内に、先端工具２の外周に形成された環状溝６と係合可能な突起７を設ける。【選択図】      図１
2004230537.tif 000002
【特許請求の範囲】
【請求項１】
駆動源であるモータと、該モータを収容するハウジングと、該ハウジングに設けた先端工具保持部と、該先端工具保持部内に収容される先端工具とを備えた電動工具において、前記先端工具保持部内に、前記先端工具の外周に形成された環状溝と係合可能な突起を設けることを特徴とする電動工具。
【請求項２】
前記先端工具保持部を形成する保持壁に開口端部を設けることを特徴とする請求項１記載の電動工具。
【請求項３】
前記突起は、前記モータ軸と直交する方向に延びる上下に水平な棒状形状であることを特徴とする請求項１記載の電動工具。
【請求項４】
前記突起は、前記先端工具保持部の内周に沿った概円形で、且つ前記モータ軸と直交する向きに形成されることを特徴とする請求項１記載の電動工具。
【請求項５】
前記突起の断面形状は、概半円であることを特徴とする請求項３又は請求項４の何れか記載の電動工具。
【請求項６】
前記突起の形状を一部不連続としたことを特徴とする請求項４記載の電動工具。
【発明の詳細な説明】
【０００１】
【発明の属する技術分野】
本発明は、モータ等を収容するハウジングに、ドライバビット等の先端工具を着脱自在に収納するための先端工具保持部を有する電動工具に関するものである。
【０００２】
【従来の技術】
従来におけるコードレスドライバドリル等の電動工具に形成されていた先端工具保持機構を図３及び図４を用いて説明する。上記電動工具は、駆動源であるモータと、モータの回転動力を伝達するための減速機構部と、該減速機構からの動力により回転されるドライバビット等の先端工具を保持するチャックと、チャックに着脱可能な先端工具へのトルク調整機構とを有し、上記モータ等は蓄電池の着脱自在な装着部を有するハンドル部と一体的に形成されて成る樹脂製のハウジング１に収容されている。上記電動工具は主にネジ等を被削材に締結する際に使用されるものであり、作業を行っていくうちに摩耗或いは破損等によりチャックに装着されている先端工具を別の先端工具２に交換して使用しなければならないため、交換を要する場合には作業者の身近な所に交換用の先端工具２が準備されていると、作業効率を低下させることなく容易且つ確実に先端工具２の交換作業を行うことができる。そのため、上記ハウジング１における外側面の一部には、利便性を考慮してチャックに保持されている先端工具とは別の先端工具２を予め保持可能とする先端工具保持部３を有する電動工具が提供されている。
【０００３】
上記先端工具保持部３は、ハンドル部に略直交する本体胴体部の長手方向に形成される溝（凹部）により形成されており、更に当該溝に挿入される先端工具２の脱落を防ぐために、先端工具保持部３内には先端工具２の外径と同等或いはそれより小さい内径を有する弾性体４が嵌め込まれて設けられており、先端工具２の挿入時に弾性体４を弾性変形させることで先端工具保持部３に先端工具２を保持している。なお、先端工具保持部３内から先端工具２を取り出す場合にも上述したように弾性体４を弾性変形させて行われている。
【０００４】
一方、保持される先端工具２は、多種多様なものが提供されているが、例えばインパクトドライバ等に使用される先端工具２をドライバ用のチャックに取り付け可能とするためには、先端工具２の円周方向（径方向）に環状溝６が形成されている。
【０００５】
上述したように先端工具２を保持するために弾性体４が設けられているが、収容する先端工具２の径寸法，製作上における弾性体４のバラツキ寸法や弾性体４の材質等，電動工具の使用状態等から、先端工具２の脱落を弾性体４の保持力のみでは足りなかった。そのため、使用時に生じる振動（衝撃）により先端工具２が脱落しないように、先端工具保持部３に収容されている先端工具２の先端部側（ネジと係合可能な端部）と当該先端工具の後端側（反係合端部）に立設するストッパ壁５を利用して、先端工具２の軸方向への抜け止めが成される構成となっている。
【特許文献】
実開平６−８０５６４
【０００６】
【発明が解決しようとする課題】
上述した従来の電動工具における先端工具保持部は、ある所定の軸方向長さを有する先端工具を保持する場合には問題ないが、例えば全長の短い先端工具を収容した場合には、弾性体で保持されているものの軸方向の空スペースによりガタツキが生じて先端工具が軸方向に移動してしまい結果的に脱落を招いてしまうという問題があった。
【０００７】
また、これとは逆に全長の長い先端工具を収容した場合には、ストッパ壁が邪魔になってしまい収容することができなくなってしまうという問題があった。
【０００８】
本発明の目的は、上記問題を解消し、種々の先端工具を容易且つ確実に収容可能な先端工具保持部を有する電動工具を提供することである。
【０００９】
【課題を解決するための手段】
上記目的は、駆動源であるモータと、モータを収容するハウジングと、ハウジングに設けた先端工具保持部と、先端工具保持部内に収容される先端工具とを備えた電動工具において、先端工具保持部内に、先端工具の外周に形成された環状溝と係合可能な突起を設けることにより達成される。
【００１０】
【発明の実施の形態】
本実施例におけるコードレスドライバドリル等の電動工具に設ける先端工具保持部３を図１及び図２を用いて説明する。図１は本実施例における電動工具の一実施例を示す外観正面図、図２は本実施例における電動工具の先端工具保持部３の一実施例を示す一部省略縦断面図である。
【００１１】
上記電動工具は、駆動源であるモータと、モータの回転動力を伝達するための減速機構部と、該減速機構からの動力により回転されるドライバビット等の先端工具２を保持するチャックと、チャックに着脱可能な先端工具２へのトルク調整機構とを有し、上記モータ等は蓄電池の着脱自在な装着部を有するハンドル部と一体的に形成されて成る樹脂製のハウジング１に収容されている。上記電動工具は主にネジ等を被削材に締結する際に使用されるものであり、作業を行っていくうちに摩耗或いは破損等によりチャックに装着されている先端工具を別の先端工具２に交換して使用しなければならないため、交換を要する場合には作業者の身近な所に交換用の先端工具２が準備されていると、作業効率を低下させることなく容易且つ確実に先端工具２の交換作業を行うことができる。そのため、上記ハウジング１における外側面の一部には、利便性を考慮してチャックに保持されている先端工具とは別の先端工具２を予め保持可能とする先端工具保持部３を有する電動工具が提供されている。
【００１２】
上記ハウジング１は、小形軽量化を図るため、モータ付近のハウジング１に抉れ部が施されており、この抉れ部はハウジング１により形成される本体胴体部の長手方向側面に形成されている。上記先端工具保持部３は、上記抉れ部内に位置し更に当該抉れ部から突出する保持壁により形成されている。また、先端工具保持部３内には、先端工具２の脱落を防ぐために先端工具２の外径と同等或いはそれより小さい内径を有する弾性体４が嵌め込まれて設けられており、先端工具２の挿入時に弾性体４を弾性変形させ保持壁の内壁に先端工具２を押し付ける形で長手方向に直交する方向への抜け止めを防ぎながら先端工具２を保持している。また、先端工具保持部３の保持壁の一部で且つ長手方向に直交する方向に突出する突起７が上下に２箇所設けられており、この突起７が先端工具２の円周方向（径方向）に形成される環状溝６に係合することにより、先端工具２の長手方向への移動を規制しながら保持している。また、先端工具保持部３を形成する保持壁のうちチャック側或いは反チャック側に位置する部分に開口端部を設けることにより、種々の先端工具２が保持可能となる。なお、先端工具保持部３内から先端工具２を取り出す場合にも上述したように弾性体４を弾性変形させ且つ突起７と環状溝６との係合を解除することで可能となる。
【００１３】
また、本実施例では、突起７がモータ軸と直交する方向に延びる上下に水平な棒状形状であり、更に断面略楕円形状を成す突起７が先端工具保持部の内周に沿って設けられているが、先端工具保持部３内から先端工具２を容易に取り出せる形状のものであれば他の形状であっても良い。また、保持壁の一部でなくても規制可能なものであれば良い。
【００１４】
以上のことから、従来のようにストッパ壁を設ける必要がなくなるため、種々の先端工具２が先端工具保持部３に収容可能となると共に、ストッパ壁５を有さない外観形状に優れた電動工具を提供することができる。
【００１５】
【発明の効果】
本発明によれば、先端工具の長手方向への移動を先端工具保持部内の突起により規制可能なため、ストッパ壁を設ける必要がなくなり種々の先端工具を収容可能な先端工具保持部を有する電動工具を提供することができる。
【図面の簡単な説明】
【図１】本発明になる電動工具の一実施例を示す外観正面図である。
【図２】本発明になる電動工具の先端工具保持部の一実施例を示す一部省略縦断面図である。
【図３】従来における電動工具の一実施例を示す外観正面図である。
【図４】従来における電動工具の先端工具保持部の一実施例を示す一部省略縦断面図である。
【符号の説明】
１はハウジング、２は先端工具、３は先端工具保持部、４は弾性体、５はストッパ壁、６は環状溝、７は凸部である。
【図１】
2004230537.tif 000003
【図２】
2004230537.tif 000004
【図３】
2004230537.tif 000005
【図４】
2004230537.tif 000006